【手続補正書】
【提出日】平成15年5月6日(2003.5.6)
【手続補正１】
【補正対象書類名】明細書
【補正対象項目名】特許請求の範囲
【補正方法】変更
【補正の内容】
【特許請求の範囲】
【請求項１】
眼鏡装置であって、
（ａ）着用者の頭部に適合するようにされた主フレームを含み、前記主フレームは前記主フレームの中央に主ブリッジを有し、前記眼鏡装置はさらに、
（ｂ）前記主ブリッジから前方へ延びる隆起と、
（ｃ）前記隆起上の水平面上の窪みと、
（ｄ）２つの補助レンズと、
（ｅ）前記補助レンズ間に延びて前記補助レンズを互いに接続する補助ブリッジと、
（ｆ）前記補助ブリッジから後方へ延びる上部突出部および前記補助ブリッジから後方へ延びる下部突出部と、
（ｇ）前記突出部の少なくとも１つの上の少なくとも１つの突起とを含み、前記突起は前記窪みに解除可能に挿入するよう構成されており、前記少なくとも１つの前記突出部は弾性がある、眼鏡装置。
【請求項２】
双方の前記突出部上の前記突起を含み、前記突起は前記隆起上の少なくとも１つの窪みに解除可能に挿入するよう構成されている、請求項１に記載の眼鏡装置。
【請求項３】
前記隆起上の前記窪みは横方向に延びている、請求項１または２に記載の眼鏡装置。
【請求項４】
少なくとも１つの前記突起は、前記窪みに解除可能に挿入するため、前記窪みに対応して横方向に延びている、請求項３に記載の眼鏡装置。
【請求項５】
双方の前記突出部上の突起を含み、前記突起は、前記窪みに解除可能に挿入するため、少なくとも１つの前記窪みに対応して横向きに延びている、請求項３に記載の眼鏡装置。
【請求項６】
前記隆起上の前記少なくとも１つの窪みは、前記隆起を通る孔である、請求項１から５のいずれかに記載の眼鏡装置。
【請求項７】
前記隆起は横方向に延びる隆起垂直面を有し、前記補助ブリッジは横方向に延びる後方の垂直補助ブリッジ面を有し、前記面は、前記面間の締まり嵌めが前記主眼鏡と前記補助ブリッジ間の水平の回転を防止するよう構成されている、請求項１から６のいずれかに記載の眼鏡装置。
【請求項８】
前記隆起は横方向に延びる水平隆起面を有し、少なくとも１つの前記突出部は横方向に延びる突出面を有し、前記面は、前記面間の締まり嵌めが前記主眼鏡と前記補助ブリッジ間の垂直の回転を防止するよう構成されている、請求項１から７のいずれかに記載の眼鏡装置。
【請求項９】
前記隆起は横方向に延びる水平隆起面を有し、少なくとも１つの前記突出部は横方向に延びる突出面を有し、前記面は、前記面間の締まり嵌めが前記主眼鏡と前記補助ブリッジ間の垂直の回転を防止するよう構成されている、請求項７に記載の眼鏡装置。
【請求項１０】
前記突起は面取りされている、請求項１から９のいずれかに記載の眼鏡装置。
【請求項１１】
前記補助ブリッジは、ポリフレックスTMプラスチックまたはメモリプラスチックである、請求項１から１０のいずれかに記載の眼鏡装置。
【請求項１２】
補助眼鏡装置であって、
（ａ）２つの補助レンズと、
（ｂ）各レンズにおける孔と、
（ｃ）前記補助レンズ間に延びて前記補助レンズを互いに接続する補助ブリッジと、
（ｄ）前記補助ブリッジを主眼鏡に取付けるための取付け機構と、
（ｅ）前記補助ブリッジから前記孔を通って延び、前記レンズを前記ブリッジに固定するレンズリベットとを含み、
前記レンズリベットは前記補助ブリッジから後方へ延びている、補助眼鏡装置。
【請求項１３】
前記補助ブリッジは、ポリフレックスTMプラスチックまたはメモリプラスチックである、請求項１２に記載の補助眼鏡装置。
【請求項１４】
前記レンズリベットは球状部で終わっている、請求項１２から１３のいずれかに記載の補助眼鏡装置。
【請求項１５】
各レンズにおける少なくとも２つの孔と、前記補助ブリッジの各側から前記孔を通って延び、前記レンズを前記ブリッジに固定する少なくとも２つのレンズリベットとをさらに含む、請求項１２から１４のいずれかに記載の補助眼鏡装置。
【請求項１６】
補助眼鏡ブリッジであって、
（ａ）側端と、
（ｂ）前記補助眼鏡を主眼鏡に取付けるための取付け機構と、
（ｃ）前記側端から水平に延びるレンズリベットとを有するブリッジを含み、
前記レンズリベットは前記補助ブリッジから後方へ延びている、補助眼鏡ブリッジ。
【請求項１７】
前記補助ブリッジは、ポリフレックスTMまたはメモリプラスチックである、請求項１６に記載の補助眼鏡ブリッジ。
【請求項１８】
前記レンズリベットは球状部で終わっている、請求項１６から１７のいずれかに記載の補助眼鏡ブリッジ。
【請求項１９】
前記レンズリベットはキャップで終わっている、請求項１２から１５のいずれかに記載の補助眼鏡ブリッジ。
【請求項２０】
眼鏡ブリッジおよびレンズであって、
（ａ）２つのレンズと、
（ｂ）（ｉ）側端および（ii）前記側端から水平に延びているレンズリベットを有するブリッジとを含み、
前記レンズリベットは、前記レンズに対して広げられる前記レンズリベットの遠端を有している、眼鏡ブリッジおよびレンズ。
【請求項２１】
前記遠端はブリッジのリベット孔のすぐ周りに広げられる、請求項２０に記載の眼鏡ブリッジ。
【請求項２２】
前記レンズリベットは前記ブリッジから後方へ延びている、請求項２０または２１に記載の眼鏡ブリッジ。
【請求項２３】
前記ブリッジは補助眼鏡のためのブリッジである、請求項２０から２３のいずれかに記載の眼鏡ブリッジ。
【請求項２４】
前記キャップは接着剤を用いて固定される、請求項２０から２３のいずれかに記載の眼鏡ブリッジ。
【請求項２５】
眼鏡ブリッジとレンズとを組立てる方法であって、
（ａ）ブリッジの第１の側端上の第１のレンズリベットを、第１のレンズの第１の孔に挿入するステップと、
（ｂ）前記ブリッジの第２の側端上の第２のレンズリベットを、第２のレンズの第２の孔に挿入するステップと、
（ｃ）前記レンズリベットの遠端を前記それぞれのレンズに対して変形させるステップとを含む、方法。
【請求項２６】
（ａ）ブリッジの前記第１の側端上の第３のレンズリベットを、前記第１のレンズの第３の孔に挿入するステップと、
（ｂ）前記ブリッジの前記第２の側端上の第４のレンズリベットを、前記第２のレンズの第４の孔に挿入するステップと、
（ｃ）前記レンズリベットの遠端を前記それぞれのレンズに対して変形させるステップとをさらに含む、請求項２５に記載の方法。
【請求項２７】
前記ブリッジは補助眼鏡のためのブリッジである、請求項２５から２６のいずれかに記載の方法。
【請求項２８】
変形させるステップの前に、前記端を接着剤で処理するステップをさらに含む、請求項２５から２７のいずれかに記載の方法。
【請求項２９】
眼鏡装置であって、
（ａ）着用者の頭部に適合するようにされた主フレームを含み、前記主フレームは前記主フレームの中央に主ブリッジを有し、前記眼鏡装置はさらに、
（ｂ）２つの補助レンズと、
（ｃ）前記補助レンズ間に延びて前記補助レンズを互いに接続する補助ブリッジと、
（ｄ）前記補助ブリッジから後方へ延びる上部突出部および前記補助ブリッジから後方へ延びる下部突出部と、
（ｅ）前記突出部の少なくとも１つの上の少なくとも１つの突起とを含み、
前記主ブリッジは前記少なくとも１つの前記突出部を解除可能に受けるよう構成されている、眼鏡装置。
【請求項３０】
眼鏡装置であって、
（ａ）着用者の頭部に適合するようにされた主フレームを含み、前記主フレームは前記主フレームの中央に主ブリッジを有し、前記眼鏡装置はさらに、
（ｂ）前記主ブリッジ上の隆起と、
（ｃ）２つの補助レンズと、
（ｄ）前記補助レンズ間に延びて前記補助レンズを互いに接続する補助ブリッジと、
（ｅ）前記補助ブリッジから後方へ延びる上部突出部および前記補助ブリッジから後方へ延びる下部突出部と、
（ｆ）前記突出部の少なくとも１つの上の少なくとも１つの突起とを含み、前記突起は前記窪みに解除可能に挿入するよう構成されており、前記少なくとも１つの前記突出部は弾性があり、
前記突出部の横方向形状と前記隆起の対応する横方向形状とは、組立て時に装置の水平の動きを防止する、眼鏡装置。
【請求項３１】
眼鏡装置であって、
（ａ）着用者の頭部に適合するようにされた主フレームを含み、前記主フレームは前記主フレームの中央に主ブリッジを有し、前記眼鏡装置はさらに、
（ｂ）前記主ブリッジから前方へ延びる隆起と、
（ｃ）２つの補助レンズと、
（ｄ）前記補助レンズ間に延びて前記補助レンズを互いに接続する補助ブリッジと、
（ｅ）前記補助ブリッジから後方へ延びる上部突出部および前記補助ブリッジから後方へ延びる下部突出部とを含み、
前記補助ブリッジの前記上部突出部および前記下部突出部は、対応して構成されている前記隆起とぴったり合う締め代を形成するよう一括して構成されている上面、下面、および側面があるよう構成されている、眼鏡装置。
【請求項３２】
眼鏡装置であって、
（ａ）着用者の頭部に適合するようにされた主フレームを含み、前記主フレームは前記主フレームの中央に主ブリッジを有し、前記眼鏡装置はさらに、
（ｂ）前記主ブリッジから前方へ延びる隆起と、
（ｃ）２つの補助レンズと、
（ｄ）前記補助レンズ間に延びて前記補助レンズを互いに接続する補助ブリッジと、
（ｅ）前記補助ブリッジから後方へ延びる上部突出部および前記補助ブリッジから後方へ延びる下部突出部とを含み、少なくとも１つの前記突出部は弾性があり、前記眼鏡装置はさらに、
（ｆ）前記突出部の少なくとも１つの上の少なくとも１つの突起を含み、
前記突出部の横方向形状と前記隆起の対応する横方向形状とは、組立て時に装置の水平の動きを防止する、眼鏡装置。
【請求項３３】
双方の前記突出部上の前記突起を含み、前記突起は前記主ブリッジに解除可能に係合するよう構成されている、請求項２９から３２のいずれかに記載の眼鏡装置。
【請求項３４】
前記隆起は横方向に延びる隆起垂直面を有し、前記補助ブリッジは横方向に延びる後方の垂直補助ブリッジ面を有し、前記面は、前記面間の締まり嵌めが前記主眼鏡と前記補助ブリッジ間の水平の回転を防止するよう構成されている、請求項２９から３３のいずれかに記載の眼鏡装置。
【請求項３５】
前記隆起は横方向に延びる水平隆起面を有し、少なくとも１つの前記突出部は横方向に延びる突出面を有し、前記面は、前記面間の締まり嵌めが前記主眼鏡と前記補助ブリッジ間の垂直の回転を防止するよう構成されている、請求項２９から３４のいずれかに記載の眼鏡装置。
【請求項３６】
前記突起は面取りされている、請求項２９から３５のいずれかに記載の眼鏡装置。
【請求項３７】
前記補助ブリッジは、ポリフレックスTMプラスチックまたはメモリプラスチックである、請求項２９から３６のいずれかに記載の眼鏡装置。